(57)【要約】【課題】隣接する吸音パネルの間、隣接する防音壁の間、および吸音パネルと道床の間の隙間を埋めて音漏れを防ぐ隙間埋め部材を提供する。【解決手段】隣接するパネル(1)(2)の隙間部において、一方のパネル(1)の隣接側部にてその音源側に、平板状の板バネからなる隙間塞ぎ片(9)が他方のパネル(2)に向かって突出状に設けられている。隙間塞ぎ片(9)の先端は他方のパネル(2)の隣接側部の反音源側までバネの付勢力により圧接されている。この構造によって、隣接するパネル(1)(2)の隙間が変動しても該隙間は隙間塞ぎ片(9)によって常に塞がれている。【選択図】    図１
2010144385.tif 000002
【特許請求の範囲】
【請求項１】
隣接するパネル(1)(2)の隙間部において、一方のパネル(1)の隣接側部に、平板状または断面円弧状の板バネからなる隙間塞ぎ片(9)が他方のパネル(2)に向かって突出状に設けられ、その先端が他方のパネル(2)の隣接側部にバネの付勢力により圧接され、または、
隣接するパネル(1)(2)の隙間部において、一方のパネル(1)の隣接側部にコイルバネ(10)を介して板状の隙間塞ぎ片(11)が設けられ、その先端がコイルバネ(10)の付勢力により他方のパネル(2)の隣接側部に圧接されている、隙間埋め構造。
【請求項２】
隣接するパネル(1)(2)の隙間部において、一方のパネル(1)の隣接側部に、可撓性の材料からなる断面コの字状の隙間埋め部材(12)が同側部を覆うように設けられ、隙間埋め部材(12)はその一対の水平部(12a)(12b)の間隔がパネル(1)の厚みより若干大きく、水平部(12a)(12b)がパネル(1)の隣接側部を挟み付けるように同側部に圧接されることにより垂直部(12c)が他方のパネル(2)に向かって突出状に湾曲してその先端部が他方のパネル(2)の隣接側部に当接する、隙間埋め構造。
【請求項３】
隣接するパネル(1)(2)の隙間部において、パネル(1)(2)の対向する隣接側部にそれぞれ、隙間塞ぎシート(13)(14)が隣接相手に向かって突出状に設けられて先端部どうしが連結されている、隙間埋め構造。
【請求項４】
隣接するパネル(1)(2)の隙間部において、一方のパネル(1)の隣接側部の音源側または反音源側に、パネル間の隙間および他方のパネル(2)の隣接側部を覆う隠し板(15)が設けられ、または
隣接するパネル(1)(2)の隙間部において、パネル(1)(2)の隣接側部に亘ってパネル間の隙間を覆う隠し板(15)が設けられ、隠し板(15)は隣接方向に設置位置調節可能である、隙間隠し構造。
【請求項５】
隣接するパネル(1)(2)の隙間部において、パネル(1)(2)の対向する隣接側部にそれぞれ、平板ないしは屈曲板からなるじゃま板(16)(17)が小間隙をおいてに設けられ、じゃま板(16)(17)はパネル間の隙間における音波の直進を妨げ、または、
隣接するパネル(1)(2)の隙間部において、一方のパネル(1)の隣接側面に他方のパネル(2)に向かって突出する凸部(1a)が形成され、他方のパネル(2)の隣接側面に、凸部(1a)に合致する凹部(2a)が形成され、凸部(1a)と凹部(2a)の間に小間隙が置かれ、該小間隙における音波の直進が妨げられている、隙間隠し構造。
【請求項６】
隣接するパネル(1)(2)の隙間部において、頭部(18a)とこれの両側に連接された一対の脚部(18b)とからなるバネ製の隙間埋め部材(18)が、頭部(18a)が隙間部の音源側および反音源側から該隙間を塞ぎかつ両脚部(18b)が隙間内にてパネル(1)(2)の隣接側面にバネの付勢力により圧接されるように、隙間部に配置されている、隙間埋め構造。
【請求項７】
隣接するパネル(1)(2)の隙間部において、パネル(1)(2)の隣接側部にそれぞれ凹条(19)が対向状に形成され、これら凹条(19)に両側部を嵌め込む遮音板(20)が設けられ、または、
隣接するパネル(1)(2)の隙間部において、断面クランク状に屈曲した遮音板(20)が、その中間垂直部(20a)が隙間内にかつ両端水平部(20b)が隙間部の音源側および反音源側にそれぞれ来るように、隙間部に配置されている、隙間埋め構造。
【請求項８】
隣接するパネル(1)(2)の隙間部において、断面Ｉ字状の隙間埋め部材(21)が、その中間垂直部(21a)が隙間内にかつ両端頭部(21b)が隙間部の音源側および反音源側にそれぞれ来るように、隙間部に配置されている、隙間埋め構造。
【請求項９】
隣接するパネル(1)(2)の隙間部において、一方のパネル(1)の隣接側部に、他方のパネル(2)を向く凸条(23)を有する断面コ字状部材(22)が同側部を覆うように設けられ、他方のパネル(2)の隣接側部に凸条(23)に合致する凹条(2４)が形成され、コ字状部材材(22)は凸条(23)が凹条(24)に嵌り合うように隣接方向に設置位置調節可能である、隙間埋め構造。
【請求項１０】
隣接するパネル(1)(2)の隙間部において、一方のパネル(1)の隣接側部に、他方のパネル(2)を向く凸条(23)を有する断面コ字状部材(22)が同側部を覆うように設けられ、他方のパネル(2)の隣接側部に凸条(23)に合致する凹条(2４)が形成され、コ字状部材材(22)は凸条(23)が凹条(24)に嵌り合うように凹条(24)に向かって弾性体(25)で付勢いされている、隙間埋め構造。
【請求項１１】
隣接するパネル(1)(2)の隙間部において、一方のパネル(1)の隣接側部に渦巻状のスクリーン(26)が設けられ、その先端が他方のパネル(2)の隣接側部に固定されている、隙間埋め構造。
【請求項１２】
隣接するパネル(1)(2)の隙間部において、一方のパネル(1)の隣接側部に蛇腹(27)がその基端部にて固定され、その先端部が磁石(28)を介して他方のパネル(2)に付着されている、隙間埋め構造。
【請求項１３】
隣接するパネル(1)(2)の隙間部において、該隙間にゴムまたは樹脂発砲体からなる隙間埋め部材(29)が詰め込まれている、隙間埋め構造。
【請求項１４】
隣接するパネル(1)(2)の非音源側全面に亘って隙間覆いシール(30)が貼設されている、隙間埋め構造。
【請求項１５】
隣接するパネル(1)(2)の隙間部において、パネル(1)(2)の隣接側面(1a)(2a)の少なくとも一方が粗面化され、パネル(1)(2)の隣接側部の隙間にゴム、樹脂発砲体またはコーキング材からなる隙間埋め部材(31)が注入または吹き付けられ、固化した隙間埋め部材(31)が弾性接着剤で粗面化隣接側面に固定されている、隙間埋め構造。
【請求項１６】
パネル(1)の下端部と道床(32)の隙間部において、パネル(1)の下端部に該隙間を塞ぐ遮音板(33)(34)が上下設置位置調節可能に設けられている、隙間埋め構造。
【請求項１７】
パネル(1)の下端部と道床(32)の隙間部において、パネル(1)の下端部に平板状または断面円弧状の板バネからなる隙間塞ぎ片(35)が下方突出状に設けられ、その下端がバネの付勢力により道床(32)に圧接されている、隙間埋め構造。
【請求項１８】
パネル(1)の下端部と道床(32)の隙間部において、パネル(1)の下端部に下方開口状の空洞部(36)が形成され、空洞部(36)内に、下端部が空洞部(36)から下方に突出して道床(32)に受けられている隙間隠し片（37）が上下動自在に配置されている、隙間埋め構造。
【請求項１９】
パネル(1)の下端部と道床(32)の隙間部において、該隙間に音源側または反音源側から隙間を塞ぐ楔状の隙間埋め部材(38)が嵌め込まれている、隙間埋め構造。
【請求項２０】
パネル(1)の下端部と道床(32)の隙間部において、該隙間の音源側または反音源側に該隙間を隠すように遮蔽壁(39)が道床に立設されている、隙間隠し構造。
【請求項２１】
パネル(1)の下端部と道床(32)の隙間部において、該隙間にコーキング材からなる隙間埋め部材(40)が充填されている、隙間埋め構造。
【請求項２２】
パネルの下端部にコイルバネを介して板状の隙間塞ぎ片が設けられ、その先端がコイルバネの付勢力により道床に圧接されている、隙間埋め構造。
【請求項２３】
パネルの下端部に渦巻状のスクリーンが設けられ、その先端が道床に固定されている、隙間埋め構造。
【発明の詳細な説明】
【技術分野】
【０００１】
本発明は、新幹線のような高速鉄道の騒音を低減する吸音パネル及び防音壁に関し、より詳しくは、隣接する吸音パネル及び防音壁の間の隙間を埋める隙間埋め構造に関する。
【背景技術】
【０００２】
鉄道軌道において生じる騒音には、車両上部で発生する集電系音（上部音という）と車輛下部で発生する転動音や機器音（下部音という）、車両の空気摩擦により生じる空力音という複数の音源があり、それぞれが防音壁と車輌の間で多重反射をして防音壁外部に漏れる。特に新幹線のような高速鉄道においては、下部音を主体とする防音壁より低い位置で発生する騒音が特に問題となっている。
【０００３】
このような騒音問題を解決するものとして、特許文献１記載のような吸音パネルが提案された。すなわち、吸音パネル(51)は、図４０に示すように、アルミニウムフレームからなる筺体(53)の内部において、筺体(53)を既存の防音壁(56)に固定する固定部材(55)の音源側の面に複数枚の傾斜反射板(52)が上下多段状に設けられ、筺体(53)内の各反射板間の空間に吸音材としてグラスウール(54)が充填されたものである。
【０００４】
この構造の吸音パネルは隣接するパネルが互いに密接しておれば、音漏れの恐れはないが、実際の施工ではどうしても隣接パネルの間やパネルと道床の間に数ｍｍから最大１０ｃｍの隙間が生じることが避けられない。非特許文献１に記載されているように、吸音パネルの性能が向上するに連れてこのような隙間の処理が重要視されてきている。
【０００５】
従来、図４１に示すように、隣接する吸音パネル(61)(62)(63)の間にゴム製の隙間埋め部材(64)を介在させ、隣接パネルどうしを押し付けて隙間埋め部材(64)を潰してパネル間に固定し、これらパネルにわたって複数本の胴縁(65)をボルト(66)止めすることで、パネル間の隙間を埋めていた。
【０００６】
しかし、この施工法では、操作が面倒である上に、パネルを１枚だけ交換したいときには、隙間に余裕がないため、パネルの出し入れが困難で交換ができないという問題がある。また、胴縁が温度変化により伸縮するため隙間幅が変わることで吸音パネル間に隙間が生じ、またはゴム製の隙間埋め部材が徐々に劣化することで吸音パネル間に隙間が生じ、そこから音漏れが生じるために、吸音パネルの防音効果が低下するという問題もある。さらに防音パネルと道床の間にも隙間が、同様に防音効果を低下する一因となっている。
【特許文献１】特開２００７−２５５０９８号公報
【非特許文献１】「公害防止の技術と法規  騒音編」  公害防止の技術と法規  編集委員会編  第９４〜９６頁、第１２４〜１２６頁
【発明の開示】
【発明が解決しようとする課題】
【０００７】
本発明は、上述した従来技術の問題を解決することができる、隣接する吸音パネルの間、隣接する防音壁の間、および吸音パネルと道床の間の隙間を埋めて音漏れを防ぐ隙間埋め部材を提供することを目的とする。
【課題を解決するための手段】
【０００８】
請求項１に係る発明は、
隣接するパネル(1)(2)の隙間部において、一方のパネル(1)の隣接側部に、平板状または断面円弧状の板バネからなる隙間塞ぎ片(9)が他方のパネル(2)に向かって突出状に設けられ、その先端が他方のパネル(2)の隣接側部にバネの付勢力により圧接され、または、
隣接するパネル(1)(2)の隙間部において、一方のパネル(1)の隣接側部にコイルバネ(10)を介して板状の隙間塞ぎ片(11)が設けられ、その先端がコイルバネ(10)の付勢力により他方のパネル(2)の隣接側部に圧接されている、隙間埋め構造である。
【０００９】
請求項２に係る発明は、
隣接するパネル(1)(2)の隙間部において、一方のパネル(1)の隣接側部に、可撓性の材料からなる断面コの字状の隙間埋め部材(12)が同側部を覆うように設けられ、隙間埋め部材(12)はその一対の水平部(12a)(12b)の間隔がパネル(1)の厚みより若干大きく、水平部(12a)(12b)がパネル(1)の隣接側部を挟み付けるように同側部に圧接されることにより垂直部(12c)が他方のパネル(2)に向かって突出状に湾曲してその先端部が他方のパネル(2)の隣接側部に当接する、隙間埋め構造である。
【００１０】
請求項３に係る発明は、
隣接するパネル(1)(2)の隙間部において、パネル(1)(2)の対向する隣接側部にそれぞれ、隙間塞ぎシート(13)(14)が隣接相手に向かって突出状に設けられて先端部どうしが連結されている、隙間埋め構造である。
【００１１】
請求項４に係る発明は、
隣接するパネル(1)(2)の隙間部において、一方のパネル(1)の隣接側部の音源側または反音源側に、パネル間の隙間および他方のパネル(2)の隣接側部を覆う隠し板(15)が設けられ、または
隣接するパネル(1)(2)の隙間部において、パネル(1)(2)の隣接側部に亘ってパネル間の隙間を覆う隠し板(15)が設けられ、隠し板(15)は隣接方向に設置位置調節可能である、隙間隠し構造である。
【００１２】
請求項５に係る発明は、
隣接するパネル(1)(2)の隙間部において、パネル(1)(2)の対向する隣接側部にそれぞれ、平板ないしは屈曲板からなるじゃま板(16)(17)が小間隙をおいてに設けられ、じゃま板(16)(17)はパネル間の隙間における音波の直進を妨げ、または、
隣接するパネル(1)(2)の隙間部において、一方のパネル(1)の隣接側面に他方のパネル(2)に向かって突出する凸部(1a)が形成され、他方のパネル(2)の隣接側面に、凸部(1a)に合致する凹部(2a)が形成され、凸部(1a)と凹部(2a)の間に小間隙が置かれ、該小間隙における音波の直進が妨げられている、隙間隠し構造である。
【００１３】
請求項６に係る発明は、
隣接するパネル(1)(2)の隙間部において、頭部(18a)とこれの両側に連接された一対の脚部(18b)とからなるバネ製の隙間埋め部材(18)が、頭部(18a)が隙間部の音源側および反音源側から該隙間を塞ぎかつ両脚部(18b)が隙間内にてパネル(1)(2)の隣接側面にバネの付勢力により圧接されるように、隙間部に配置されている、隙間埋め構造である。
【００１４】
請求項７に係る発明は、
隣接するパネル(1)(2)の隙間部において、パネル(1)(2)の隣接側部にそれぞれ凹条(19)が対向状に形成され、これら凹条(19)に両側部を嵌め込む遮音板(20)が設けられ、または、
隣接するパネル(1)(2)の隙間部において、断面クランク状に屈曲した遮音板(20)が、その中間垂直部(20a)が隙間内にかつ両端水平部(20b)が隙間部の音源側および反音源側にそれぞれ来るように、隙間部に配置されている、隙間埋め構造である。
【００１５】
請求項８に係る発明は、
隣接するパネル(1)(2)の隙間部において、断面Ｉ字状の隙間埋め部材(21)が、その中間垂直部(21a)が隙間内にかつ両端頭部(21b)が隙間部の音源側および反音源側にそれぞれ来るように、隙間部に配置されている、隙間埋め構造である。
【００１６】
請求項９に係る発明は、
隣接するパネル(1)(2)の隙間部において、一方のパネル(1)の隣接側部に、他方のパネル(2)を向く凸条(23)を有する断面コ字状部材(22)が同側部を覆うように設けられ、他方のパネル(2)の隣接側部に凸条(23)に合致する凹条(2４)が形成され、コ字状部材材(22)は凸条(23)が凹条(24)に嵌り合うように隣接方向に設置位置調節可能である、隙間埋め構造である。
【００１７】
請求項１０に係る発明は、
隣接するパネル(1)(2)の隙間部において、一方のパネル(1)の隣接側部に、他方のパネル(2)を向く凸条(23)を有する断面コ字状部材(22)が同側部を覆うように設けられ、他方のパネル(2)の隣接側部に凸条(23)に合致する凹条(2４)が形成され、コ字状部材材(22)は凸条(23)が凹条(24)に嵌り合うように凹条(24)に向かって弾性体(25)で付勢いされている、隙間埋め構造である。
【００１８】
請求項１１に係る発明は、
隣接するパネル(1)(2)の隙間部において、一方のパネル(1)の隣接側部に渦巻状のスクリーン(26)が設けられ、その先端が他方のパネル(2)の隣接側部に固定されている、隙間埋め構造である。
【００１９】
請求項１２に係る発明は、
隣接するパネル(1)(2)の隙間部において、一方のパネル(1)の隣接側部に蛇腹(27)がその基端部にて固定され、その先端部が磁石(28)を介して他方のパネル(2)に付着されている、隙間埋め構造である。
【００２０】
請求項１３に係る発明は、
隣接するパネル(1)(2)の隙間部において、該隙間にゴムまたは樹脂発砲体からなる隙間埋め部材(29)が詰め込まれている、隙間埋め構造である。
【００２１】
請求項１４に係る発明は、
隣接するパネル(1)(2)の非音源側全面に亘って隙間覆いシール(30)が貼設されている、隙間埋め構造である。
【００２２】
請求項１５に係る発明は、
隣接するパネル(1)(2)の隙間部において、パネル(1)(2)の隣接側面(1a)(2a)の少なくとも一方が粗面化され、パネル(1)(2)の隣接側部の隙間にゴム、樹脂発砲体またはコーキング材からなる隙間埋め部材(31)が注入または吹き付けられ、固化した隙間埋め部材(31)が弾性接着剤で粗面化隣接側面に固定されている、隙間埋め構造である。
【００２３】
請求項１６に係る発明は、
パネル(1)の下端部と道床(32)の隙間部において、パネル(1)の下端部に該隙間を塞ぐ遮音板(33)(34)が上下設置位置調節可能に設けられている、隙間埋め構造である。
【００２４】
請求項１７に係る発明は、
パネル(1)の下端部と道床(32)の隙間部において、パネル(1)の下端部に平板状または断面円弧状の板バネからなる隙間塞ぎ片(35)が下方突出状に設けられ、その下端がバネの付勢力により道床(32)に圧接されている、隙間埋め構造である。
【００２５】
請求項１８に係る発明は、
パネル(1)の下端部と道床(32)の隙間部において、パネル(1)の下端部に下方開口状の空洞部(36)が形成され、空洞部(36)内に、下端部が空洞部(36)から下方に突出して道床(32)に受けられている隙間隠し片（37）が上下動自在に配置されている、隙間埋め構造である。
【００２６】
請求項１９に係る発明は、
パネル(1)の下端部と道床(32)の隙間部において、該隙間に音源側または反音源側から隙間を塞ぐ楔状の隙間埋め部材(38)が嵌め込まれている、隙間埋め構造である。
【００２７】
請求項２０に係る発明は、
パネル(1)の下端部と道床(32)の隙間部において、該隙間の音源側または反音源側に該隙間を隠すように遮蔽壁(39)が道床に立設されている、隙間隠し構造である。
【００２８】
請求項２１に係る発明は、
パネル(1)の下端部と道床(32)の隙間部において、該隙間にコーキング材からなる隙間埋め部材(40)が充填されている、隙間埋め構造である。
【００２９】
請求項２２に係る発明は、
パネルの下端部にコイルバネを介して板状の隙間塞ぎ片が設けられ、その先端がコイルバネの付勢力により道床に圧接されている、隙間埋め構造である。
【００３０】
請求項２３に係る発明は、
パネルの下端部に渦巻状のスクリーンが設けられ、その先端が道床に固定されている、隙間埋め構造である。
【発明の効果】
【００３１】
本発明の隙間埋め構造によれば、従来技術における問題点を全て解決することが可能となる。
【００３２】
すなわち、従来、パネルの操作が面倒である上に、パネルを１枚だけ交換したいときには、隙間に余裕がないため、パネルの出し入れが困難で交換できなかったが、本発明の隙間埋め構造の採用により、容易な交換が可能となる。また、胴縁の温度変化に伴う伸縮によるパネル隙間幅の変化や、またはゴム製の隙間埋め部材の劣化による隙間幅の拡大により、音漏れが生じ、防音パネルの効果が低下するという問題があったが、本発明の隙間埋め構造により、低下の問題は解消できる。さらに、パネル下部と道床との隙間の問題についても同様に解消することができる。
【発明を実施するための最良の形態】
【００３３】
つぎに、本発明を具体的に説明するために、本発明の実施例をいくつか挙げる。
【００３４】
実施例１
図１において、隣接するパネル(1)(2)の隙間部において、一方のパネル(1)の隣接側部にてその音源側に、平板状の板バネからなる隙間塞ぎ片(9)が他方のパネル(2)に向かって突出状に設けられている。隙間塞ぎ片(9)の先端は他方のパネル(2)の隣接側部の反音源側までバネの付勢力により圧接されている。この構造によって、隣接するパネル(1)(2)の隙間が変動しても該隙間は隙間塞ぎ片(9)によって常に塞がれている。
【００３５】
図２において、隣接するパネル(1)(2)の隙間部において、一方のパネル(1)の隣接側部に、断面円弧状の板バネからなる隙間塞ぎ片(9)が他方のパネル(2)に向かって突出状に設けられている。隙間塞ぎ片(9)の先端は他方のパネル(2)の隣接側部にバネの付勢力により圧接されている。この構造によって、隣接するパネル(1)(2)の隙間が変動しても該隙間は隙間塞ぎ片(9)によって常に塞がれている。
【００３６】
図３において、隣接するパネル(1)(2)の隙間部において、一方のパネル(1)の隣接側部にコイルバネ(10)を介して板状の隙間塞ぎ片(11)が設けられている。隙間塞ぎ片(11)の先端はコイルバネ()により他方のパネル(2)の隣接側部に圧接されている。この構造によって、隣接するパネル(1)(2)の隙間が変動しても該隙間は隙間塞ぎ片(11)によって常に塞がれている。
【００３７】
実施例２
図４において、隣接するパネル(1)(2)の隙間部において、一方のパネル(1)の隣接側部に、可撓性の材料、例えば金属、硬質プラスチックなどからなる断面コの字状の隙間埋め部材(12)が同側部を覆うように設けられている。隙間埋め部材(12)はその一対の水平部(12a)(12b)の間隔がパネル(1)の厚みより若干大きくなされている。水平部(12a)(12b)がパネル(1)の隣接側部に、これに開けられたボルト孔(41)を通るボルト(42)とナット(43)で締め付けられることにより、垂直部(12c)は他方のパネル(2)に向かって突出状に湾曲してその先端部が他方のパネル(2)の隣接側部に当接する。この構造によって、隣接するパネル(1)(2)の隙間が変動しても該隙間は隙間埋め部材(12)によって常に塞がれている。
【００３８】
実施例３
図５において、隣接するパネル(1)(2)の隙間部にて、パネル(1)(2)の対向する隣接側部にそれぞれ、隙間塞ぎシート(13)(14)が対向相手に向かって突出状に設けられている。これら隙間塞ぎシート(13)(14)の先端部どうしは重ね合わされ、マジックテープ（登録商標）、ボタン、チャック、磁石などからなる連結具(44)により連結されている。この構造によって、隣接するパネル(1)(2)の隙間が変動しても該隙間は隙間塞ぎシート(13)(14)によって常に塞がれている。
【００３９】
実施例４
図６において、隣接するパネル(1)(2)の隙間部にて、パネル(1)(2)のうち一方のパネル(1)の隣接側部の音源側に、パネル間の隙間および他方のパネル(2)の隣接側部を覆う隠し板(15)が固定されている。隠し板(15)は他方のパネル(2)には固定されず、該隙間を大きさが変化しても常に隙間を覆うようになされている。
【００４０】
図７において、隣接するパネル(1)(2)の隙間部にて、パネル(1)(2)の隣接側部に亘ってパネル間の隙間を音源側から覆う隠し板(15)が設けられている。隠し板(15)は、該隙間および胴縁(45)を通るボルト(42)とナット(43)によって隣接方向に設置位置調節可能な状態でパネル(1)(2)の隣接側部に取り付けられている。この構造によって、隣接するパネル(1)(2)の隙間が変動しても該隙間は隠し板(15)によって常に塞がれている。
【００４１】
図８において、隣接するパネル(1)(2)の隙間部にて、パネル(1)(2)の隣接側部に亘ってパネル間の隙間を反音源側から覆う隠し板(15)が設けられている。隠し板(15)は、胴縁(45)でパネル(1)(2)の隣接側部に支持されている。胴縁(45)とパネル(1)(2)の間にはプラスチック発泡体などからなる緩衝材(46)が介在させられている。こうして、隠し板(15)は隣接方向に設置位置調節可能な状態でパネル(1)(2)の隣接側部に取り付けられている。この構造によって、隣接するパネル(1)(2)の隙間が変動しても該隙間は隠し板(15)によって常に塞がれている。
【００４２】
図９aおよび図9bにおいて、隣接するパネル(1)(2)の隙間部にて、一方のパネル(1)の隣接側部の音源側に、パネル間の隙間および他方のパネル(2)の隣接側部を覆う隠し板(15)が固定されている。隠し板(15)と他方のパネル(2)の隣接側部との間にはプラスチック発泡体などからなる緩衝材(46)が介在させられている。こうして、隠し板(15)は隣接方向に設置位置調節可能な状態でパネル(1)(2)の隣接側部に取り付けられている。この構造によって、隣接するパネル(1)(2)の隙間が変動しても該隙間は隠し板(15)によって常に塞がれている。
【００４３】
実施例５
図１０において、隣接するパネル(1)(2)の隙間部にて、一方のパネル(1)の隣接側部の音源側、および他方のパネル(2)の隣接側部の反音源側にそれぞれ隣接相手に向かって突出状に、平板からなるじゃま板(16)(17)が設けられている。各じゃま板(16)(17)の先端と隣接相手との間には小間隔が置かれている。この構造によって、じゃま板(16)(17)はパネル間の隙間における音波の直進を防いでいる。
【００４４】
図１１において、隣接するパネル(1)(2)の隙間部にて、一方のパネル(1)の隣接側部の音源側、および他方のパネル(2)の隣接側部の反音源側にそれぞれ隣接相手に向かって突出状に、断面Ｌ字状のじゃま板(16)(17)が設けられている。各じゃま板(16)(17)の垂直部どうしは小間隔をおいて食い違い状に配置されている。この構造によって、じゃま板(16)(17)はパネル間の隙間における音波の直進を防いでいる。
【００４５】
図１２において、隣接するパネル(1)(2)の隙間部にて、一方のパネル(1)の隣接側部の音源側、および他方のパネル(2)の隣接側部の反音源側にそれぞれ隣接相手に向かって、平板からなる傾斜状のじゃま板(16)(17)が小間隙をおいて食い違い状に設けられている。この構造によって、じゃま板(16)(17)はパネル間の隙間における音波の直進を防いでいる。
【００４６】
図１３において、隣接するパネル(1)(2)の隙間部にて、一方のパネル(1)の隣接側部の音源側、および他方のパネル(2)の隣接側部の反音源側にそれぞれ隣接相手に向かって、平板からなるじゃま板(16)(17)が小間隙をおいて設けられている。パネル(1)(2)の隙間にはじゃま板(16)(17)の間にプラスチック発泡体などからなる緩衝材(46)が介在させられている。この構造によって、じゃま板(16)(17)および緩衝材(46)はパネル間の隙間における音波の直進を防いでいる。
【００４７】
図１４において、隣接するパネル(1)(2)の隙間部にて、一方のパネル(1)の隣接側面が傾斜状に形成されることにより凸部(1a)が設けられている。他方のパネル(2)の隣接側面がパネル(1)の隣接側面の上記傾斜に合致する傾斜状に形成されることにより凹部(2a)が設けられている。一方のパネル(1)の凸部(1a)を形成する傾斜面と他方のパネル(2)の凹部(2a)を形成する傾斜面との間には小隙間が置かれている。この構造によって、小間隙における音波の直進が妨げられている。
【００４８】
図１５において、隣接するパネル(1)(2)の隙間部にて、一方のパネル(1)の隣接側面に断面三角形の凸部(1a)が形成され、他方のパネル(2)の隣接側面に、パネル(1)の隣接側面の上記凸形状に合致する形状の凹部(2a)が形成されている。一方のパネル(1)の凸部(1a)と他方のパネル(2)の凹部(2a)の間には小隙間が置かれている。この構造によって、小間隙における音波の直進が妨げられている。
【００４９】
図１６において、隣接するパネル(1)(2)の隙間部にて、一方のパネル(1)の隣接側面に断面円弧形の凸部(1a)が形成され、他方のパネル(2)の隣接側面に、パネル(1)の隣接側面の上記凸形状に合致する形状の凹部(2a)が形成されている。一方のパネル(1)の凸部(1a)と他方のパネル(2)の凹部(2a)の間には小隙間が置かれている。この構造によって、小間隙における音波の直進が妨げられている。
【００５０】
図１７において、隣接するパネル(1)(2)の隙間部にて、一方のパネル(1)の隣接側面の音源側に凸部(1a)が形成され、他方のパネル(2)の隣接側面の音源側に、パネル(1)の隣接側面の上記凸形状に合致する形状の凹部(2a)が形成されている。一方のパネル(1)の凸部(1a)と他方のパネル(2)の凹部(2a)の間には小隙間が置かれている。この構造によって、小間隙における音波の直進が妨げられている。
【００５１】
図１８において、隣接するパネル(1)(2)の隙間部にて、一方のパネル(1)の隣接側面に断面長方形の凸部(1a)が形成され、他方のパネル(2)の隣接側面に、パネル(1)の隣接側面の上記凸形状に合致する形状の凹部(2a)が形成されている。一方のパネル(1)の凸部(1a)と他方のパネル(2)の凹部(2a)の間には小隙間が置かれている。この構造によって、小間隙における音波の直進が妨げられている。
【００５２】
図１９において、隣接するパネル(1)(2)の隙間部にて、一方のパネル(1)の隣接側面に断面櫛歯形の凸部(1a)が形成され、他方のパネル(2)の隣接側面に、パネル(1)の隣接側面の上記凸形状に合致する形状の凹部(2a)が形成されている。一方のパネル(1)の凸部(1a)と他方のパネル(2)の凹部(2a)の間には小隙間が置かれている。すなわち一方のパネル(1)の凸部(1a)と他方のパネル(2)の凸部が食い違い状に設けられている。この構造によって、小間隙における音波の直進が妨げられている。
【００５３】
実施例６
図２０において、隣接するパネル(1)(2)の隙間部にて、頭部(18a)とこれの両側に連接された一対の脚部(18b)とからなるバネ製の隙間埋め部材(18)が、頭部(18a)が隙間部の音源側および反音源側から該隙間を塞ぎかつ両脚部(18b)が隙間内にてパネル(1)(2)の隣接側面にバネの付勢力により圧接されるように、隙間部に配置されている。この構造によって、隣接するパネル(1)(2)の隙間が変動しても該隙間は隙間埋め部材(18)によって常に塞がれている。
【００５４】
実施例７
図２１において、隣接するパネル(1)(2)の隙間部にて、パネル(1)(2)の隣接側部の各対抗面にそれぞれ凹条(19)が対向状に形成されている。これら凹条(19)に両側部を嵌め込む遮音板(20)が設けられている。この構造によって、隣接するパネル(1)(2)の隙間が変動しても該隙間は遮音板(20)によって常に塞がれている。
【００５５】
図２２において、隣接するパネル(1)(2)の隙間部にて、パネル(1)(2)の隣接側部の音源側にそれぞれ凹条(19)が対向状に形成されている。これら凹条(19)に両側部を嵌め込む遮音板(20)が設けられている。この構造によって、隣接するパネル(1)(2)の隙間が変動しても該隙間は遮音板(20)によって常に塞がれている。
【００５６】
図２３において、隣接するパネル(1)(2)の隙間部にて、断面クランク状に屈曲した遮音板(20)が、その中間垂直部(20a)が隙間内にかつ両端水平部(20b)が隙間部の音源側および反音源側にそれぞれ来るように、隙間部に配置されている。この構造によって、隣接するパネル(1)(2)の隙間が変動しても該隙間は遮音板(20)によって常に塞がれている。
【００５７】
図２４において、隣接するパネル(1)(2)の隙間部にて、パネル(1)の隣接側部の音源側に凹条(19)が反音源側開口状に形成され、パネル(2)の隣接側部の反音源側に凹条(19)が音源側開口状に形成されている。これら凹条(19)に亘って遮音板(20)が設けられている。遮音板(20)は、断面クランク状に屈曲しており、両側部をそれぞれ凹条(19)に嵌め込んでいる。この構造によって、隣接するパネル(1)(2)の隙間が変動しても該隙間は遮音板(20)によって常に塞がれている。
【００５８】
実施例８
図２５において、隣接するパネル(1)(2)の隙間部にて、断面Ｉ字状の隙間埋め部材(21)が、その中間垂直部(21a)が隙間内にかつ両端頭部(21b)が隙間部の音源側および反音源側にそれぞれ来るように、隙間部に配置されている。この構造によって、隣接するパネル(1)(2)の隙間が変動しても該隙間は隙間埋め部材(21)によって常に塞がれている。
【００５９】
実施例９
図２６において、隣接するパネル(1)(2)の隙間部にて、一方のパネル(1)の隣接側部に、断面コ字状であってその垂直部に凸条(23)を有するコ字状部材(22)が同側部を覆うように設けられている。一方のパネル(1)の凸条(23)は他方のパネル(2)に向かって突出し、他方のパネル(2)の隣接側面にはの凸条(23)に合致する形状の凹条(24)が形成されている。コ字状部材材(22)の両水平部にそれぞれ隣接方向に長い長孔(47)が開けられ、長孔(47)を通りパネル(1)を貫通するボルト(48)とナット(49)によって、コ字状部材材(5)は凸条(4)が凹条(3)に嵌り合うように隣接方向に設置位置調節可能となされている。この構造によって隣接するパネル(1)(2)の隙間が変動しても該隙間はコ字状部材(22)によって常に塞がれている。
【００６０】
実施例１０
図２７において、隣接するパネル(1)(2)の隙間部にて、一方のパネル(1)の隣接側部に、断面コ字状であってその垂直部に凸条(23)を有するコ字状部材(22)が同側部を覆うように設けられている。一方のパネル(1)の凸条(23)は他方のパネル(2)に向かって突出し、他方のパネル(2)の隣接側面には凸条(23)に合致する凹条(24)が形成されている。コ字状部材材(22)と一方のパネル(1)の隣接側部との間には押しバネ(25)が介在され、同バネ(25)によってコ字状部材材(22)は凸条(23)が凹条(24)に嵌り合うように凹条(24)に向かって付勢いされている。この構造によって、隣接するパネル(1)(2)の隙間が変動しても該隙間はコ字状部材(22)によって常に塞がれている。
【００６１】
実施例１１
図２８において、隣接するパネル(1)(2)の隙間部にて、一方のパネル(1)の隣接側部に渦巻状のスクリーン(26)が設けられ、その先端が他方のパネル(2)の隣接側部に固定されている。この構造によって、隣接するパネル(1)(2)の隙間が変動しても該隙間はスクリーン(26)によって常に塞がれている。
【００６２】
実施例１２
図２９において、隣接するパネル(1)(2)の隙間部にて、一方のパネル(1)の隣接側部に蛇腹(27)がその基端部にて固定され、その先端部が磁石(28)を介して他方のパネル(2)に付着されている。この構造によって、隣接するパネル(1)(2)の隙間が変動しても該隙間は蛇腹(27)によって常に塞がれている。
【００６３】
実施例１３
図３０において、隣接するパネル(1)(2)の隙間部にて、該隙間にゴムまたは樹脂発砲体からなる隙間埋め部材(29)が詰め込まれている。この構造によって、隣接するパネル(1)(2)の隙間が変動しても該隙間は隙間埋め部材(29)によって常に塞がれている。
【００６４】
実施例１４
図３１において、隣接するパネル(1)(2)の非音源側全面に亘って隙間覆いシール(30)が貼設されている。隙間覆いシール(30)は意匠を施したタッキペイントシールであることが好ましい。この構造によって、隣接するパネル(1)(2)の隙間が変動しても該隙間は隙間覆いシール(30)によって常に塞がれている。
【００６５】
実施例１５
図３２において、隣接するパネル(1)(2)の隙間部にて、パネル(1)(2)の隣接側面(1a)(2a)がいずれも粗面化されている。パネル(1)(2)の隣接側部の隙間にはゴム、樹脂発砲体またはコーキング材からなる隙間埋め部材(31)が注入または吹き付けられ、固化した隙間埋め部材(31)が弾性接着剤で粗面化隣接側面に固定されている。この構造によって、隣接するパネル(1)(2)の隙間が変動しても該隙間は隙間埋め部材(31)によって常に塞がれている。
【００６６】
実施例１６
図３３(a)において、パネル(1)の下端部と道床(32)の隙間部にて、パネル(1)の下端部に該隙間を塞ぐ１枚の横長矩形の遮音板(33)が配置されている。遮音板(33)の両端部には垂直方向に長い長孔(47)が開けられ、長孔(47)を通りパネル(1)を貫通するボルト(48)とナット(49)によって、遮音板(33)は上下設置位置調節可能となされている。この構造によってパネル(1)の下端部と道床(32)の隙間が変動しても該隙間は塞ぐ板(33)によって常に塞がれている。
【００６７】
図３３(b)において、パネル(1)の下端部と道床(32)の隙間部にて、パネル(1)の下端部に該隙間を塞ぐ多数枚の縦長矩形の遮音板(34)が配置されている。これらの遮音板(33)には垂直方向に長い長孔(47)がそれぞれ開けられ、長孔(47)を通りパネル(1)を貫通するボルト(48)とナット(49)によって、遮音板(33)は上下設置位置調節可能となされている。この構造によって、パネル(1)の下端部と道床(32)の隙間が変動しても該隙間は塞ぐ板(34)によって常に塞がれている。
【００６８】
実施例１７
図３４において、パネル(1)の下端部と道床(32)の隙間部にて、パネル(1)の音源側の下端部に平板状または断面円弧状の板バネからなる隙間塞ぎ片(35)が下方突出状に設けられ、その下端がバネの付勢力により道床(32)に圧接されている。この構造によって、パネル(1)の下端部と道床(32)の隙間が変動しても該隙間は隙間塞ぎ片(35)によって常に塞がれている。
【００６９】
実施例１８
図３５において、パネル(1)の下端部と道床(32)の隙間部にて、パネル(1)の下端部に下方開口状の空洞部(36)が形成されている。空洞部(36)内にはブロック状の隙間隠し片（37）が配置され、その下端部が空洞部(36)から下方に突出して道床(32)に受けられている。こうして隙間隠し片（37）は空洞部(36)内にて上下動自在となされている。この構造によって、パネル(1)の下端部と道床(32)の隙間が変動しても該隙間は隙間隠し片（37）によって常に塞がれている。
【００７０】
図３６において、隙間隠し片（37）は上下開口角筒状である。その他の点は図３５の構成と同じである。
【００７１】
実施例１９
図３７において、パネル(1)の下端部と道床(32)の隙間部にて、該隙間に音源側から隙間を塞ぐ楔状の隙間埋め部材(38)が嵌め込まれている。この構造によって、パネル(1)の下端部と道床(32)の隙間が隙間埋め部材(38)によって常に塞がれている。
【００７２】
実施例２０
図３８において、パネル(1)の下端部と道床(32)の隙間部にて、該隙間の音源側に該隙間を隠すように遮蔽壁(39)が道床に立設されている。この構造によって、パネル(1)の下端部と道床(32)の隙間が遮蔽壁(39)によって常に塞がれている。
【００７３】
実施例２１
図３９において、パネル(1)の下端部と道床(32)の隙間部にて、該隙間にコーキング材からなる隙間埋め部材(40)が充填されている。この構造によって、パネル(1)の下端部と道床(32)の隙間が隙間埋め部材(40)によって常に塞がれている。
【００７４】
実施例２２
パネルの下端部にコイルバネを介して板状の隙間塞ぎ片が設けられ、その先端がコイルバネの付勢力により道床に圧接されている。この構造によって、パネルの下端部と道床の隙間が隙間塞ぎ片によって常に塞がれている。
【００７５】
実施例２３
パネルの下端部に渦巻状のスクリーンが設けられ、その先端が道床に固定されている。この構造によって、パネルの下端部と道床の隙間がスクリーンによって常に塞がれている。
【図面の簡単な説明】
【００７６】
【図１】実施例１の隙間埋め構造を示す隣接パネルの隙間部における水平断面図である。
【図２】実施例１の隙間埋め構造の変形例を示す隣接パネルの隙間部における水平断面図である。
【図３】実施例１の隙間埋め構造の変形例を示す隣接パネルの隙間部における水平断面図である。
【図４】実施例２の隙間埋め構造を示す隣接パネルの隙間部における水平断面図である。
【図５】実施例３の隙間埋め構造を示す隣接パネルの隙間部における水平断面図である。
【図６】実施例４の隙間埋め構造を示す隣接パネルの隙間部における水平断面図である。
【図７】実施例４の隙間埋め構造の変形例を示す隣接パネルの隙間部における水平断面図である。
【図８】実施例４の隙間埋め構造の変形例を示す隣接パネルの隙間部における水平断面図である。
【図９ａ】実施例４の隙間埋め構造の変形例を示す隣接パネルの隙間部における水平断面図である。
【図９ｂ】実施例４の隙間埋め構造の変形例を示す隣接パネルの隙間部における正面図である。
【図１０】実施例５の隙間埋め構造を示す隣接パネルの隙間部における水平断面図である。
【図１１】実施例５の隙間埋め構造の変形例を示す隣接パネルの隙間部における水平断面図である。
【図１２】実施例５の隙間埋め構造の変形例を示す隣接パネルの隙間部における水平断面図である。
【図１３】実施例５の隙間埋め構造の変形例を示す隣接パネルの隙間部における水平断面図である。
【図１４】実施例５の隙間埋め構造の変形例を示す隣接パネルの隙間部における水平断面図である。
【図１５】実施例５の隙間埋め構造の変形例を示す隣接パネルの隙間部における水平断面図である。
【図１６】実施例５の隙間埋め構造の変形例を示す隣接パネルの隙間部における水平断面図である。
【図１７】実施例５の隙間埋め構造の変形例を示す隣接パネルの隙間部における水平断面図である。
【図１８】実施例５の隙間埋め構造の変形例を示す隣接パネルの隙間部における水平断面図である。
【図１９】実施例５の隙間埋め構造の変形例を示す隣接パネルの隙間部における水平断面図である。
【図２０】実施例６の隙間埋め構造を示す隣接パネルの隙間部における水平断面図である。
【図２１】実施例７の隙間埋め構造を示す隣接パネルの隙間部における水平断面図である。
【図２２】実施例７の隙間埋め構造の変形例を示す隣接パネルの隙間部における水平断面図である。
【図２３】実施例７の隙間埋め構造の変形例を示す隣接パネルの隙間部における水平断面図である。
【図２４】実施例７の隙間埋め構造の変形例を示す隣接パネルの隙間部における水平断面図である。
【図２５】実施例８の隙間埋め構造を示す隣接パネルの隙間部における水平断面図である。
【図２６】実施例９の隙間埋め構造を示す隣接パネルの隙間部における水平断面図である。
【図２７】実施例１０の隙間埋め構造を示す隣接パネルの隙間部における水平断面図である。
【図２８】実施例１１の隙間埋め構造を示す隣接パネルの隙間部における水平断面図である。
【図２９】実施例１２の隙間埋め構造を示す隣接パネルの隙間部における水平断面図である。
【図３０】実施例１３の隙間埋め構造を示す隣接パネルの隙間部における水平断面図である。
【図３１】実施例１４の隙間埋め構造を示す隣接パネルの隙間部における水平断面図である。
【図３２】実施例１５の隙間埋め構造を示す隣接パネルの隙間部における水平断面図である。
【図３３】実施例１６の隙間埋め構造を示す隣接パネルの隙間部における水平断面図である。
【図３４】実施例１７の隙間埋め構造を示す隣接パネルの隙間部における水平断面図である。
【図３５】実施例１８の隙間埋め構造を示す隣接パネルの隙間部における水平断面図である。
【図３６】実施例１８の隙間埋め構造の変形例を示す隣接パネルの隙間部における水平断面図である。
【図３７】実施例１９の隙間埋め構造を示す隣接パネルの隙間部における水平断面図である。
【図３８】実施例２０の隙間埋め構造を示す隣接パネルの隙間部における水平断面図である。
【図３９】実施例２１の隙間埋め構造を示す隣接パネルの隙間部における水平断面図である。
【図４０】従来の吸音パネルを示す垂直縦断面図である。
【図４１】従来の吸音パネルの隙間埋め構造を示す胴縁側から見た正面図である。
【符号の説明】
【００７７】
(1)(2)  パネル
(9)  隙間塞ぎ片
(10)  コイルバネ
(11)  隙間塞ぎ片
(12)  隙間埋め部材
(13)(14)  隙間塞ぎシート
(15)  隠し板
(16)(17)  じゃま板
(1a)  凸部
(2a)  凹部
(18)  隙間埋め部材
(19)  凹条
(20)  遮音板
(21)  隙間埋め部材
(22)  コ字状部材
(23)  凸条
(24)  凹条
(25)  弾性体
(26)  スクリーン
(27)  蛇腹
(28)  磁石
(29)  隙間埋め部材
(30)  隙間覆いシール
(31)  隙間埋め部材
(32)  道床
(33)(34)  遮音板
(35)  隙間塞ぎ片
(36)  空洞部
(37)  隙間隠し片
(38）隙間埋め部材
(39)  遮蔽壁
(40)  隙間埋め部材
【図１】
2010144385.tif 000003
【図２】
2010144385.tif 000004
【図３】
2010144385.tif 000005
【図４】
2010144385.tif 000006
【図５】
2010144385.tif 000007
【図６】
2010144385.tif 000008
【図７】
2010144385.tif 000009
【図８】
2010144385.tif 000010
【図９ａ】
2010144385.tif 000011
【図９ｂ】
2010144385.tif 000012
【図１０】
2010144385.tif 000013
【図１１】
2010144385.tif 000014
【図１２】
2010144385.tif 000015
【図１３】
2010144385.tif 000016
【図１４】
2010144385.tif 000017
【図１５】
2010144385.tif 000018
【図１６】
2010144385.tif 000019
【図１７】
2010144385.tif 000020
【図１８】
2010144385.tif 000021
【図１９】
2010144385.tif 000022
【図２０】
2010144385.tif 000023
【図２１】
2010144385.tif 000024
【図２２】
2010144385.tif 000025
【図２３】
2010144385.tif 000026
【図２４】
2010144385.tif 000027
【図２５】
2010144385.tif 000028
【図２６】
2010144385.tif 000029
【図２７】
2010144385.tif 000030
【図２８】
2010144385.tif 000031
【図２９】
2010144385.tif 000032
【図３０】
2010144385.tif 000033
【図３１】
2010144385.tif 000034
【図３２】
2010144385.tif 000035
【図３３】
2010144385.tif 000036
【図３４】
2010144385.tif 000037
【図３５】
2010144385.tif 000038
【図３６】
2010144385.tif 000039
【図３７】
2010144385.tif 000040
【図３８】
2010144385.tif 000041
【図３９】
2010144385.tif 000042
【図４０】
2010144385.tif 000043
【図４１】
2010144385.tif 000044